(57)【要約】【課題】  本発明は、新たな構成の表示装置、及び撮像装置を備えた双方向対話型装置を提供することを課題とする。更に表示装置、及び撮像装置を備えた双方向対話システムを提供する。【解決手段】  本発明は、少なくとも可視光を透過可能であり、電圧または電流によって制御可能な自発光型の画素を配列させて形成される表示手段と、撮像手段を備えた撮像機能付きの表示装置を提供する。そして複雑な光学系や光路の長い光学系を用いることなく、小型化及び軽量化が可能であり、視線を合わせてコミュニケーションをとることができる。【選択図】  図１
2005033784.tif 000002
【特許請求の範囲】
【請求項１】
透光性であって、且つ自発光型画素を配列させて形成される表示手段と、前記表示手段の一方の側に備えられた撮像手段とを有し、前記撮像手段は、前記表示手段を通して被写体の撮像が可能であることを特徴とする撮像機能付き表示装置。
【請求項２】
透光性基板に形成され、一対の透光性電極間に発光性物質を介在させた発光素子を配列して構成される表示手段と、前記表示手段の背面に、撮像手段が配置されていることを特徴とする撮像機能付き表示装置。
【請求項３】
一対の電極間に発光物質を介在させ、少なくとも、一方の電極から光を放射することができ、外光を透過可能な発光素子を、透光性の基板上に配列させて形成された表示手段と、前記表示手段の背面に配設された撮像手段とが備えられていることを特徴とする撮像機能付き表示装置。
【請求項４】
請求項１または２において、前記発光性物質は、エレクトロルミネセンスを発現する物質であることを特徴とする撮像機能付き表示装置。
【請求項５】
請求項１乃至４のいずれか一項において、表示手段の透過率に応じた輝度補正と、表示手段からの発光による映り込みを差し引く補正を行う補正手段が、前記撮像手段に備えられていることを特徴とする撮像機能付き表示装置。
【請求項６】
透光性であって、且つ自発光型画素を配列させて形成される表示手段と、前記表示手段の一方の側に備えられた撮像手段とを有し、前記撮像手段は、前記表示手段を通して被写体の撮像が可能であって、通話先の画像を表示手段に表示すると同時に、被写体を撮像可能であることを特徴とする双方向コミュニケーションシステム。
【請求項７】
透光性基板に形成され、一対の透光性電極間に発光性物質を介在させた発光素子を配列して構成される表示手段と、前記表示手段の背面に、撮像手段が配置されていて、前記撮像手段は、前記表示手段を通して被写体の撮像が可能であって、通話先の画像を表示手段に表示すると同時に、被写体を撮像可能であることを特徴とする双方向コミュニケーションシステム。
【請求項８】
一対の電極間に発光物質を介在させ、少なくとも、一方の電極から光を放射することができ、外光を透過可能な発光素子を、透光性の基板上に配列させて形成された表示手段と、前記表示手段の背面に配設された撮像手段とが備えられていて、前記撮像手段は、前記表示手段を通して被写体の撮像が可能であって、通話先の画像を表示手段に表示すると同時に、被写体を撮像可能であることを特徴とする双方向コミュニケーションシステム。
【請求項９】
請求項７または８において、前記発光性物質は、エレクトロルミネセンスを発現する物質であることを特徴とする双方向コミュニケーションシステム。
【請求項１０】
請求項６乃至９のいずれか一項において、表示手段の透過率に応じた輝度補正と、表示手段からの発光による映り込みを差し引く補正を行う補正手段が、前記撮像手段に備えられていることを特徴とする双方向コミュニケーションシステム。
【請求項１１】
双方の送受信者が、互いに相手側の画像を表示画面上で視認しながら、有線または無線による通信ができる双方向コミュニケーションシステムであって、透光性であって、且つ自発光型画素を配列させて形成される表示手段と、前記表示手段の一方の側に備えられた撮像手段とを有し、前記撮像手段は、前記表示手段を通して被写体の撮像が可能であって、通話先の画像を表示手段に表示すると同時に、被写体を撮像可能である撮像機能付き表示装置が、少なくとも一方の送受信者側に備えられていることを特徴とする双方向コミュニケーションシステム。
【請求項１２】
双方の送受信者が、互いに相手側の画像を表示画面上で視認しながら、有線または無線による通信ができる双方向コミュニケーションシステムであって、透光性基板に形成され、一対の透光性電極間に発光性物質を介在させた発光素子を配列して構成される表示手段と、前記表示手段の背面に、撮像手段が配置されていて、前記撮像手段は、前記表示手段を通して被写体の撮像が可能であって、通話先の画像を表示手段に表示すると同時に、被写体を撮像可能である撮像機能付き表示装置が、少なくとも一方の送受信者側に備えられていることを特徴とする双方向コミュニケーションシステム。
【請求項１３】
双方の送受信者が、互いに相手側の画像を表示画面上で視認しながら、有線または無線による通信ができる双方向コミュニケーションシステムであって、一対の電極間に発光物質を介在させ、少なくとも、一方の電極から光を放射することができ、外光を透過可能な発光素子を、透光性の基板上に配列させて形成された表示手段と、前記表示手段の背面に配設された撮像手段とが備えられていて、前記撮像手段は、前記表示手段を通して被写体の撮像が可能であって、通話先の画像を表示手段に表示すると同時に、被写体を撮像可能である撮像機能付き表示装置が、少なくとも一方の送受信者側に備えられていることを特徴とする双方向コミュニケーションシステム。
【請求項１４】
請求項１２または１３において、前記発光性物質は、エレクトロルミネセンスを発現する物質であることを特徴とする双方向コミュニケーションシステム。
【請求項１５】
請求項１１乃至１４のいずれか一項において、表示手段の透過率に応じた輝度補正と、表示手段からの発光による映り込みを差し引く補正を行う補正手段が、前記撮像手段に備えられていることを特徴とする双方向コミュニケーションシステム。
【請求項１６】
請求項１１乃至１５のいずれか一項において、前記表示画面上には、相手側の画像と、文字、図形、及び記号を表示可能であることを特徴とする双方向コミュニケーションシステム。
【発明の詳細な説明】
【技術分野】
【０００１】
本発明は、画像の表示と被写体の撮像を同時に行うことにできる撮像機能付き表示装置に係り、特に、被写体として利用者の撮像と表示を同時に行うことのできる撮像機能付き表示装置に関する。また、本発明は、被写体として利用者の撮像を行いながら、対話する相手の撮像画面を見ることのできる双方向コミュニケーションシステムに関する。
【背景技術】
【０００２】
近年、通信ネットワークの高速化によって、テレビ電話システムや、テレビ会議システムのように、通信者間で互いに画像を見ながら会話などを行う所謂双方向対話型システムの開発が進められている。
【０００３】
双方向対話型システムにおいては、使用者（被写体）の撮像と画像の表示を同時に行う仕組みが工夫されている。
【０００４】
例えば、光の入射角度によって透明、不透明になる特殊なスクリーンと、そのスクリーンの後方に撮像装置と、投射型表示装置とを備えた表示・撮像装置が開示されている（例えば、特許文献１参照。）。この表示・撮像装置では、スクリーンの不透明な視野方向に投射型表示装置を配置して投射像を表示することで、対話者同士の視線の一致を可能としている。
【０００５】
しかしながら、同特許文献によれば、特殊なスクリーンを必要とし、撮像装置と投射型表示装置を用いる必要があり、装置の大型化、重量化を避けることはできず、例えば、このような構成を携帯型の電子機器に応用することはできなかった。
【０００６】
また、対話者との視線一致させる双方向対話型システムが開示されている（例えば、特許文献２参照。）。この双方向対話型システムは、対話する相手の像を表示するモニタを備えた表示手段と、モニタ画面に対し対話者自身の位置を規定する位置規定手段と、対話者自身を撮像する撮像部及び該撮像部を対話者とモニタとの間の所定位置に設定するための支持機構とが備えられている。特に撮像部は、位置特定手段によって特定される位置及び対話者間の視線が一致したと判断される視差角によって定義される視線一致領域内であって、相手のモニタ画像の一部を遮る位置といった特定の設置されている。
【０００７】
しかしながら、同特許文献の双方向対話型システムでは、モニタ（表示画面）の全面に、突き出た形で撮像部としてのカメラが配置されるので、利用者は常にカメラの存在を意識することになり、またモニタ画像の一部をカメラが遮ることにより、画面の一部が見えなくなってしまう。
【０００８】
また、表示画像を見る被写体の視線を外すことなく、表示と同時に被写体を撮像することができる撮像機能付きの表示装置が開示されている（例えば、特許文献３参照。）。この表示装置は、表示画面を有する表示手段と、表示画面上に穿設されたピンホール部と、該ピンホール部を光路を視線とする撮像部とで構成されたものである。この構成により、表示画面上に画像を表示しながら、同時に表示画面を見る利用者を撮像することを可能としている。
【０００９】
しかしながら、同特許文献の撮像機能付きの表示装置では、ピンホールを開けることにより、それが小径であっても、表示画面の一部が欠損してしまうので、高精細で高品質な画像を表示することができない。また、ピンホールの径を小さくするには限界があるので、携帯型電話機のように表示画面が小さい場合には、ピンホールによる画素の欠損部が相対的に大きくなってしまう。そのため、利用者にとって違和感を完全に払拭することはできないこととなる。
【特許文献１】特開平６−３０４０６号公報  （第２頁、第２図）
【特許文献２】特開平９−１３０７６８号公報  （第１０−１１頁  第１図）
【特許文献３】特開２００１−２３１０１９号公報  （第７−８頁、第５図）
【発明の開示】
【発明が解決しようとする課題】
【００１０】
そこで本発明は、装置を小型化及び軽量化が可能であり、表示画面上に画像を遮るカメラを配設したり、ピンホール部を穿設して画像の一部を欠損させりことで画質を低下させることなく、被写体として利用者の撮像と画像の表示を同時に行うこことのできる撮像機能付き表示装置及び双方向コミュニケーションシステムを提供することを目的とする。
【００１１】
また、本発明は、装置を小型化及び軽量化が可能であり、表示画像を見る被写体の視線を外すことなく、画像の表示と撮像を同時に行うことができる撮像機能付き表示装置及び双方向コミュニケーションシステムを提供することを目的とする。
【課題を解決するための手段】
【００１２】
本発明は、少なくとも可視光を透過可能であり、電圧または電流によって制御可能な自発光型の画素を配列させて形成される表示手段と、撮像手段を備えた撮像機能付きの表示装置である。
【００１３】
表示手段は使用者が視認できるように各画素の発光を制御して、静止画、動画など様々な画像を表示することが可能である。この画素の好ましい形態としては、電圧または電流により、輝度や点灯時間など、その発光を制御することが可能な素子で形成されるものである。より好ましくは、一対の透光性電極間に発光性物質を介在させた発光素子を用いて画素を形成する形態が推奨される。この発光性物質は、エレクトロルミネセンスを発現する物質であることが好ましく、この物質に加え他の関連する物質が一対の電極間に介在していることを妨げない。
【００１４】
本発明に適用する表示手段として、一対の電極間に発光性物質を介在させた発光素子を、少なくとも可視光を透過可能な透光性の平板基板上に、マトリクス状に配列させて表示手段を形成することが好ましい。平板基板上に表示手段を形成することにより薄型化、軽量化を実現することができる。
【００１５】
画素が放射する光は、可視光帯域の光を含み、同一の発光色で光を放射する画素を配列させて表示手段を形成しても良いし、特定の領域に特定の発光色の画素を配列させた所謂エリアカラー型の表示手段を形成しても良いし、複数の異なる発光色の画素を配列させて多色表示を実現可能な表示手段としても良い。また、白色発光の画素を配列させて表示手段を形成しても良い。さらに上記表示手段の構成において、使用者が着色層（カラーフィルター）を通して画素の発光を視認できるような構成としても良い。
【００１６】
発光素子の構成要素である一対の電極と、その間に介在させる発光性物質を含む層とは、透光性を有する材料、または透光性を保持できる程度の厚さで形成することが好ましい。例えば、一対の電極を形成する材料として、酸化インジウム、酸化亜鉛、または酸化スズを含む透光性導電膜材料（ＩＴＯ、ＩＴＳＯ、ＩＺＯ、ＺｎＯ）、アルカリ金属またはアルカリ土類金属を含むアルミニウム、銀、その他金属材料、アルカリ金属またはアルカリ土類金属を含む有機化合物材料が選択される。一対の電極はこれらの材料を用い、可視光を透過可能な程度に薄膜化（金属材料にあっては、１００nm以下、好ましくは２０〜５０nm程度の厚さ）して形成することが好ましい。
【００１７】
本発明において、発光素子を構成する一対の電極の一方を透明導電膜材料を用いて形成し、他方を前記した金属材料で形成しその膜厚を制御することで、発光性物質が発光した時の光を外部に放射する割合を異ならせることができる。すなわち、透明導電膜材料を用いて形成される一方の電極側の方が、金属材料で形成される他方の電極側よりも放射光強度の割合を高めることができる。
【００１８】
本発明は、このような透光性を有する発光素子を、透光性を有する基板上に形成することで、表示手段を自発光性を有し且つ可視光を透過可能な構成としている。
【００１９】
本発明において、撮像手段は表示手段の背面に配置され、利用者からは直接視認できない位置に配置されている。撮像手段は表示手段を通して被写体の撮像が可能である。すなわち、撮像手段は、表示手段、または表示手段とそれが配置されている基板とを透過した光を受光して被写体を撮像するように配置されている。
【００２０】
撮像手段としては、受光部をＣＣＤ（ＣＣＤ:charge coupled device）型またはＣＭＯＳ（Complementary MOS）型の光センサで形成したカメラを用いることが好ましい。撮像手段は表示手段の背面に配置されるものであるが、その場合に、受光部の光センサが被写体である利用者と正対している必要性は必ずしもなく、レンズ、ミラーなどの光学系を介して光センサに外光が入射する構成としても良い。
【００２１】
本発明において、表示手段を自発光型の発光素子で形成し、且つ透光性を有する構成とすることで、該発光素子からの発光は、利用者が視認する一方の面側のみでなく、撮像手段が配置される側にも放射されていても良い。その場合、表示手段の透過率に応じた輝度補正と、表示手段からの発光による映り込みを差し引く補正を行う補正手段が、撮像手段に備えられていることが好ましい。
【００２２】
上記した発光素子を構成する一対の電極の一方を透明導電膜材料を用いて形成し、他方を前記した金属材料で形成しその膜厚を制御することで、発光性物質が発光した時の光を外部に放射する割合を異ならせるように構成した表示手段を用いる場合、撮像手段は金属材料で形成した電極側に配置することが好ましい。
【００２３】
上記構成によって、利用者が表示画面に相対することで、被写体である利用者の撮像と、表示された画像の視認を同時に行うことができる。すなわち、表示画像を見る被写体である利用者の視線を外すことなく、画像の表示と撮像を同時に行うことができる。特に、対話者と相手が同様の本発明の双方向対話型装置を用いることで、相手と視線を合わせた状態でコミュニケーションを取ることができる。
【００２４】
本発明は、表示手段の後方であって、対話者の視線上に撮像手段を配置する。そして、対話者は表示装置に表示された映像を見ながら、同時に自分の視線を撮像装置に合わせた状態で撮影を行うことができる。ここで、視線上とは、視線の方向と同一ベクトル線上であることを含み、視線を合わせるとは視線上の光が反射又は屈折等の光学的変換を経た後に視線が合うことも含む。例えば、反射体により光を反射させ、対話者と相手の視線を合わせることを含む。
【００２５】
本発明の双方向コミュニケーションシステムは、上記した本発明の撮像可能な表示装置を備え、通話先の画像を表示手段に表示すると同時に、被写体である利用者を撮像可能としている。
【００２６】
本発明の双方向コミュニケーションシステムは、双方の送受信者が、互いに相手側の画像を表示画面上で視認しながら、有線または無線による通信ができる双方向コミュニケーションシステムであって、上記した本発明の撮像可能な表示装置を備え、通話先の画像を表示手段に表示すると同時に、被写体である利用者を撮像可能である撮像機能付き表示装置が、少なくとも一方の送受信者側に備えられていることを特徴とするものである。なお、表示画面上には、相手側の画像と、文字、図形、及び記号を表示可能とすることができる。
【発明の効果】
【００２７】
本発明により、両面出射型表示パネル及び撮像手段を搭載することにより、複雑な光学系や光路の長い光学系を用いることなく、小型化及び軽量化が可能な撮像機能付き表示装置を提供することができる。すなわち、本発明の構成によって、利用者が表示画面に相対することで、被写体である利用者の撮像と、表示された画像の視認を同時に行うことができる。そして、表示画像を見る被写体の視線を外すことなく、画像の表示と撮像を同時に行うことができる。特に、対話者と相手が同様の本発明の双方向対話型装置を用いることで、相手と視線を合わせた状態でコミュニケーションを取ることができる。また、本発明により、表示画像を見る被写体の視線を外すことなく、画像の表示と撮像を同時に行うことができる撮像機能付き表示装置及び双方向コミュニケーションシステムを提供することができる。
【発明を実施するための最良の形態】
【００２８】
以下に、本発明の実施の形態を図面に基づいて説明する。但し、本発明は多くの異なる態様で実施することが可能であり、本発明の趣旨及びその範囲から逸脱することなくその形態及び詳細を様々に変更し得ることは当業者であれば容易に理解される。従って、本実施の形態の記載内容に限定して解釈されるものではない。なお、実施の形態を説明するために用いる図面において、同一部分又は同様な機能を有する部分には、異なる図面間で同一の符号を付し重複する説明は省略する。
【００２９】
（実施の形態１）
本実施の形態では、撮像機能付きの表示装置の一態様としてテレビ電話装置について説明する。
【００３０】
図１（Ａ）には、テレビ電話装置の斜視図を示し、表示手段（両面出射型パネル）１０、表示手段１０の後方に配置された撮像装置（撮像手段）１１を有する。表示手段の第１の表示面１２には、相手の映像が表示されている。表示手段１０の表示面は第１の表示面１２、及びその反対面の第２の表示面を用いることができるが、本実施の形態では第１の表示面１２で相手の映像を表示する。例えば、第２の表示面で相手の映像を表示する場合、映像を反転するための回路を備えるとよい。
【００３１】
対話者１３は、第１の表示面１２側に居て、相手の映像の視線と合うように第１の表示面を視認する。さらに撮像手段１１において、具体的には撮影レンズ１４が、対話者１３の視線上となるように配置されている。このとき撮像手段１１は、対話者１３の撮像が可能な距離の範囲であって、焦点を対話者に合わせて配置する必要がある。
【００３２】
図１（Ｂ）には、テレビ電話装置の上面図を示し、表示手段１０、撮像手段１１、第１の表示面１２を示す。対話者１３が第１の表示面１２の前に相対することにより、撮像手段１１が撮像する画像で、他方の対話者は、対話者１３の視線と合わせることができる。
【００３３】
このようなテレビ電話装置を用いることで対話者は相手と視線を合わせた状態で会話をすることができる。また、表示手段を見ながら会話などをする対話者は、表示手段の前面に撮像手段がないため、視野の中に撮像手段を認識しなくても済み、相手と自然な形で視線を合わせて充実した会話をすることができる。特に、テレビ電話装置の表示手段を大型化しても、撮像手段を表示画面の前方に配置する必要がなく、対話者と相手の視線が合うように撮像手段を配置することができる。
【００３４】
本実施の形態の撮像機能付きの表示装置において、透光性であって且つ自発光型画素を配列させて形成される表示手段、または一対の電極間に発光物質を介在させ、少なくとも一方の電極から光を放射することができ、外光を透過可能な発光素子を透光性の基板上に配列させて形成された表示手段を用いることにより、従来技術と比較して、軽量化、薄型化を図ることができる。具体的には、一対の電極間に発光性物質を介在させた発光素子を少なくとも可視光を透過可能な透光性の平板基板上に、マトリクス状に配列させて形成された表示手段を用いると良い。
【００３５】
このように表示手段と撮像手段とを分離したテレビ電話装置の場合、対話者の利用形態に応じて撮像手段の配置を自由に設計することができる。
【００３６】
本実施の形態では、表示手段と撮像手段とを分けたテレビ電話装置を示したが、一体型としたテレビ電話装置を構成することもできる。
【００３７】
また、このようなテレビ電話装置を対話者側と、相手側とに設置して、有線または無線の通信回線で結ぶことで、双方向コミュニケーションシステムを構築することが出来る。
【００３８】
なお、本実施の形態において、必ずしも撮像手段における撮影レンズが対話者の視線上に配置される必要はなく、対話者の視線上１１の光線が反射や屈折等の光学変換を経た状態で視線が合うように配置されていても良い。例えば、ミラー等の反射体を表示手段と撮像手段との間に配置することで、対話者と、相手とが視線を合わせて会話をすることができる。
【００３９】
（実施の形態２）
本実施の形態では、撮像機能付きの表示装置の一態様として携帯電話機について説明する。
【００４０】
図２（Ａ）は表示手段（表示パネル）の拡大図、図２（Ｂ）は携帯電話機の斜視図、図２（Ｃ）は携帯電話機の全体図を示す。
【００４１】
図２（Ａ）の表示パネル１００は、画素部１０１、駆動回路部である信号線駆動回路部１０２、走査線駆動回路部１０３を一体形成している。信号線駆動回路部１０２や走査線駆動回路部１０３は接続端子１０５、例えば異方導電性フィルム（ACF：Anisotropic Conductive Film）又はフレキシブルプリント基板１０６（FPC：Flexible printed circuit）を介して外部回路と接続され、信号が入力される。外部回路は、電源回路やコントローラ等を有している。
【００４２】
表示パネル１００は、アクティブマトリクス型及びパッシブマトリクス型のいずれかを用いることができる。パッシブマトリクス型の場合、アクティブマトリクス型と比較して、開口率を高めることが容易であり、高い透光性を有することができる。
【００４３】
表示パネルは、一対の電極として備えられる、第１の電極及び第２の電極（発光素子の陰極及び陽極に相当）が透光性を有するため、外光の反射が低減される。そのため、外光の散乱を防止するための円偏光板を設けない構成とすることができる。なお表示パネルの構成によっては、外光の反射を防止する必要がある。その場合、適宜円偏光板を設ければよい。
【００４４】
表示パネルは、黒表示（オフの信号を入力する場合）をする場合でも、本実施の形態のように携帯電話機の筐体に保持することにより、表示パネルの背面は黒色またはそれに近い色調にすることができるため、コントラストの高いきれいな黒表示を行うことができる。
【００４５】
また、必要に応じて表示パネルに偏光板を設けても良い。例えば、直線偏光の偏光板を用いる場合、表示パネルの両面にクロスニコルの状態で配置すると、裏側のもの（例えば、第三者）をみることが不可能となるが、クロスニコスの状態から光軸をずらした状態で配置するとその不具合は解消される。より好ましい形態としては、この一対の偏光板の角度を可変可能とする手段を設け、撮像を行わない時は偏光板をクロスニコルの位置に調整し、撮像を行う場合には必要に応じて、クロスニコスの状態から光軸をずらすようにするとよい。また、両面出射型パネルの両面又は一方の面に偏光板、又は円偏光板を配置してもよい。
【００４６】
さらに表面の凹凸により反射光を拡散し、映り込みを低減できるアンチグレア処理を施したり、加熱処理を施すアンチリフレクション処理を施す等により反射防止膜を設けてもよい。それに加え、外部衝撃から保護するためハードコート処理を施すとよい。
【００４７】
図２（Ｂ）には、図２（Ａ）に示すような表示パネル１００の後方であって、対話者の視線上となりうる位置に撮像手段１１１を配置する形態を示している。
【００４８】
第１の筐体１１２の所定の位置に撮像手段１１１を設置する。撮像手段１１１は、例えばＣＣＤ型又はＣＭＯＳ型のカメラを用いればよい。第１の筐体１１２又は第３の筐体１１５に設置される配線基板（プリント基板など回路を形成する基板）上には撮像手段を制御する集積回路部品やチップ部品（抵抗、コンデンサ、コイルなど）が実装されている。さらに配線基板上には、映像処理回路等が設けられ、さらに表示パネルを駆動するための外部回路が設けられている。映像処理回路は、表示の色や輝度ずれを補正する回路を有し、映像から透過ずれ成分を差し引くような補正を行う。具体的には、実施の形態７で説明する手段を参照して補正を行うことができる。
【００４９】
表示パネル１００の一形態として、信号線駆動回路と走査線駆動回路とを基板上に一体形成することが可能であるが、配線基板上にＩＣチップを実装し、信号線駆動回路や走査線駆動回路を外付けとしてもよい。
【００５０】
第１の筐体１１２と、表示パネル１００とを、第２の筐体１１４で挟み筐体内に固定する。第２の筐体１１４側には、音声出力部１１３が設けられている。
【００５１】
図２（Ｃ）に示すように第３の筐体１１５は、操作ボタン１１６、音声入力部１１７等を有し、ヒンジ（蝶番）を介して表示パネル側の第１及び第２の筐体１１２、１１４と連結されている。
【００５２】
本実施の形態で示す携帯電話機は、撮像装置が表示パネルの背面側であって、利用者（対話者及び相手）が表示パネルに相対したときに撮像レンズが対話者の視線上となるように配置されている。その結果、対話者の視線と、相手の視線とを合わせた状態で会話などをすることができる。勿論、撮像手段の構成として、レンズやミラーなどの光学部品を適宜組み合わせて光学系を構成しても良い。
【００５３】
（実施の形態３）
本実施の形態では、両面出射型表示パネル及び撮像手段を搭載した携帯電話機の一態様について説明する。
【００５４】
図３は、本実施の形態の携帯電話機における第１の筐体図、及びＡ−Ａ’に相当する断面図を示す。
【００５５】
図３（Ａ）は、第１の筐体１１２に、透光性の画素が備えられた両面出射型表示パネル１００と、そのパネルの背面側にミラー１２０と撮像手段１１１、ＩＣなどの部品を実装した配線基板（回路基板）１２３が備えられた形態を示している。
すなわち、配線基板上に撮像手段１１１が設けられ、当該撮像手段１１１のレンズ部は、ミラーに向いており、当該ミラー１２０は表示パネル１００を介した利用者等の映像を映している。すなわち、ミラー１２０は、撮像手段１１１の撮像範囲と、両面出射型表示パネルを介した利用者等の範囲を写す必要がある。そのため、ミラー１２０の配置は撮像手段１１１のレンズ部の延長線と、利用者等の延長線、例えば目線の延長線との交差部であって、レンズ部の延長線から３０〜８０度をなすようにする。このとき、利用者の映像はレンズ等により集光した状態で、ミラー１２０に映すとよい。その結果、ミラー１２０の配置を両面出射型表示パネル１００に近づけることができ、携帯電話機の小型化を達成することができる。
【００５６】
ミラー１２０は回動自在に取り付けられているとよい。すなわち、ミラー１２０は、回路基板１２３上に備えられる切り換え回路により制御され、機械的又は電磁的な制御手段により、撮像手段１１１の光路を切り換えている。これは、利用者が筐体表面に設けられた切り換えボタンにより切り換えることで行うこともできる。
【００５７】
ミラー１２０は、少なくとも両面出射型表示パネル１００を透過した光を受光し、撮像手段へ光を送ることができるような角度で回動すればよい。角度は、例えば、両面出射型表示パネル１００に対して４５度の状態、且つ撮像手段１１１の直線上から４５度の状態となるようにすればよい。このように配置されたミラーにより、両面出射型表示パネル１００からの光を反射させ、撮像手段１１１が映像を読み込むことができる。このうような、両面出射型表示パネル１００、ミラー１２０、撮像手段１１１を有する携帯電話機を用いることより、お互いの画像を見ながらコミュニケーションを図ることができる。
【００５８】
図３（Ｂ）には、切り換えボタンによりミラー１２０の向きが切り換わった状態を示す。この状態は主に、相手の表示を行う双方向通信ではなく撮影を行うため、デジタルカメラモードと表記する。デジタルカメラモードの場合、撮像面１２１から撮影を行うことができる。このときミラー１２０は撮像面１２１に対して例えば４５度の状態となっている、つまりレンズ部の延長線から４５度をなしている。
【００５９】
なお本発明において、両面出射型表示パネル１００を撮像面として撮影を行っても構わない。
【００６０】
このように、透光性の画素を設けた両面出射型表示パネルを用いることにより、お互いの画像を見ながらコミュニケーションを図ることが出来、撮像するときの光路を切り換える手段を組み入れることで、第１の筐体１１２側からも、第２の兄弟１１４側からも撮影可能であって、静止画及び動画撮影可能なカメラ付き携帯電話機として用いることができる。
【００６１】
（実施の形態４）
本実施の形態では、両面出射型表示パネルを搭載し、実施の形態３とは異なる機能を有する携帯電話機について説明する。
【００６２】
図４は、バーコード等の情報の読み取り手段として、読み取り手段（バーコードリーダ）を搭載する携帯電話機を示す。図４（Ａ）は、携帯電話機の背面を示す。第１の筐体１１２に設けられた両面出射型表示パネル１００の後方に配置された撮像手段１１１と、ヒンジ（蝶番）を介して連結された第３の筐体１１５を有する。携帯電話機は、読み取る対象物、例えばバーコード１５０の情報を入力する読み取り手段を搭載している。この場合、両面出射パネルの一部、又は全体を光源とし、表示面にバーコード１５０をかざし、撮像手段１１１により情報を読み取る。両面出射型パネル１００は透光性を有するため、撮像手段１１１により情報を入力することができる。
【００６３】
読み取り対象は、バーコードに限定されず、光学的に読み取り可能な文字、記号、図形、暗号、模様で種々の情報を識別する標識であっても良い。また図４（Ｂ）に示すように、指紋または掌紋などの生体情報１５１等を読み取っても構わない。図４（Ｂ）には携帯電話機の前面を示し、第１の筐体１１２及び第２の筐体１１４に設けられた両面出射型表示パネル１００と、当該パネル１００の後方に配置された撮像手段１１１と、ヒンジ（蝶番）を介して連結された第３の筐体１１５を有し、第３の筐体１１５には操作ボタン１１６、音声入力部１１７等を有する。両面出射型表示パネル１００の表示面に、指紋または掌紋などの生体情報１５１をかざし、撮像手段１１１により情報を読み取る。このとき、両面出射型表示パネルの一部又は全体を光源とすることができ、暗いところであっても読み取りを行うことができる。
【００６４】
このように携帯電話機に、情報を読み取る機能を備えることにより、セキュリティーを高め、ユーザ以外の不正使用を防止することができる。またパスワード等により本人認識を行う場合と比較し、本人認識の精度を高めることができる。本実施の形態の携帯電話機にキャッシュ機能をさせる場合、そのセキュリティー性や信頼性を高めることができる。
【００６５】
（実施の形態５）
本実施の形態では、実施の形態１乃至４に適用可能な両面出射型表示パネルの構成について説明する。
【００６６】
図５は、両面出射型表示パネルの画素部における断面図を示す。なお本実施の形態において説明する駆動用トランジスタは、絶縁基板上に形成された多結晶シリコン膜を有する薄膜トランジスタ（ＴＦＴ）を用いる例で説明するが、非晶質シリコン膜を有する薄膜トランジスタ、単結晶シリコンを有するＭＯＳ型トランジスタを用いてもよい。また、駆動用ＴＦＴの極性をｐチャネル型の場合で説明するが、ｎチャネル型でもよいことは言うまでもない。
【００６７】
図５に示すように、絶縁表面を有する基板３００に設けられた駆動用ＴＦＴ３０１は、ボロン等の不純物元素を半導体膜に添加して形成されたソース領域及びドレイン領域となる不純物領域を有する。半導体膜は、レーザ照射や加熱による結晶化処理、或いはニッケル、チタンなどの金属元素の触媒作用を用いて結晶化処理が行われたものが用いられている。半導体膜上にはゲート絶縁膜を介してゲート電極及びゲート線（走査線）が設けられていて、その部分がチャネル形成領域となるように構成されている。ゲート電極を覆うように第１の絶縁膜が設けられており、第１の絶縁膜には不純物領域上にコンタクトホールが形成されている。コンタクトホールに形成される配線は、ソース配線（信号線）及びドレイン配線として機能している。信号線には、ビデオ信号が入力され、それに応じた輝度で発光素子から光が射出される。ドレイン電極と電気的に接続するように、第１の電極３１１が設けられる。そして、第１の電極３１１を覆うように第２の絶縁膜が設けられ、第２の絶縁膜であって第１の電極３１１上に開口部を形成する。開口部には、有機化合物を有する層（以下、有機化合物層（ＥＬ層）と表記する）３１２が設けられ、有機化合物層３１２を覆うように第２の電極３１３が設けられる。第１の電極３１１及び第２の電極３１３に、電圧または電流を印加することによって制御可能な自発光型の画素を形成することができる。
【００６８】
有機化合物層３１２は、陽極側から順に、ＨＩＬ（ホール注入層）、ＨＴＬ（ホール輸送層）、ＥＭＬ（発光層）、ＥＴＬ（電子輸送層）、ＥＩＬ（電子注入層）の順に積層されている。代表的には、ＨＩＬとしてＣｕＰｃ、ＨＴＬとしてα−ＮＰＤ、ＥＴＬとしてＢＣＰ、ＥＩＬとしてＢＣＰ：Ｌｉをそれぞれ用いる。
【００６９】
また、フルカラー表示とする場合、有機化合物層３１２として、赤色（Ｒ）、緑色（Ｇ）、青色（Ｂ）の発光を示す材料を、それぞれ蒸着マスクを用いた蒸着法、またはインクジェット法などによって選択的に形成すればよい。具体的には、ＨＩＬとしてＣｕＰｃやＰＥＤＯＴ、ＨＴＬとしてα−ＮＰＤ、ＥＴＬとしてＢＣＰやＡｌｑ3、ＥＩＬとしてＢＣＰ：ＬｉやＣａＦ2をそれぞれ用いる。また例えばＥＭＬは、Ｒ、Ｇ、Ｂのそれぞれの発光色に対応したドーパント（Ｒの場合ＤＣＭ等、Ｇの場合ＤＭＱＤ等）をドープしたＡｌｑ3を用いればよい。なお、上記有機化合物層の積層構造に限定されない。
【００７０】
より具体的な有機化合物層の積層構造は、赤色の発光を示す有機化合物層３１２を形成する場合、例えば、ＣｕＰｃを３０nm形成し、α-ＮＰＤを６０nm形成した後、同一のマスクを用いて、赤色の発光層としてＤＣＭ2及びルブレンが添加されたＡｌｑ3を４０nm形成し、電子輸送層としてＢＣＰを４０nm形成し、電子注入層としてＬｉが添加されたＢＣＰを１nm形成する。また、緑色の発光を示す有機化合物層３１２を形成する場合、例えば、ＣｕＰｃを３０nm形成し、α―ＮＰＤを６０nm形成した後、同一の蒸着マスクを用いて、緑色の発光層としてクマリン５４５Ｔが添加されたＡｌｑ3を４０nm形成し、電子輸送層としてＢＣＰを４０nm形成し、電子注入層としてＬｉが添加されたＢＣＰを１nm形成する。また、青色の発光を示す有機化合物層３１２を形成する場合、例えば、ＣｕＰｃを３０nm形成し、α-ＮＰＤを６０nm形成した後、同一のマスクを用いて発光層としてビス［２−（２−ヒドロキシフェニル）ベンゾオキサゾラト］亜鉛：Ｚｎ(ＰＢＯ)2を１０nm形成し、電子輸送層としてＢＣＰを４０nm形成し、電子注入層としてＬｉが添加されたＢＣＰを１nm形成する。
【００７１】
以上、各色の有機化合物層３１２のうち、共通しているＣｕＰｃやα-ＮＰＤは、画素部全面に形成することができる。またマスクは、各色で共有することもでき、例えば、赤色の有機化合物層を形成後、マスクをずらして、緑色の有機化合物層、再度マスクをずらして青色の有機化合物層を形成することができる。形成する各色の有機化合物層の順序は適宜設定すればよい。
【００７２】
また白色発光の場合、カラーフィルター、又はカラーフィルター及び色変換層などを別途設けることによってフルカラー表示を行ってもよい。カラーフィルターや色変換層は、第２の基板に設けた後、張り合わせればよい。
【００７３】
第１の電極や第２の電極は、透光性を有する材料で形成すればよい。また第１の電極や第２の電極は仕事関数を考慮して材料を選択する。例えば、第１の電極を陽極とし、第２の電極を陰極とする場合で説明する。
【００７４】
陽極材料としては、仕事関数の大きい（仕事関数４．０eV以上）金属、合金、電気伝導性化合物、およびこれらの混合物などを用いることが好ましい。陽極材料の具体例としては、ＩＴＯ（indium tin oxide）、酸化インジウムに２〜２０%の酸化亜鉛（ＺｎＯ）を混合したＩＺＯ（indium zinc oxide）の他、金（Ａｕ）、白金（Ｐｔ）、ニッケル（Ｎｉ）、タングステン（Ｗ）、クロム（Ｃｒ）、モリブデン（Ｍｏ）、鉄（Ｆｅ）、コバルト（Ｃｏ）、銅（Ｃｕ）、パラジウム（Ｐｄ）、または金属材料の窒化物（ＴｉＮ）等を用いることができる。
【００７５】
一方、陰極材料としては、仕事関数の小さい（仕事関数３．８eV以下）金属、合金、電気伝導性化合物、およびこれらの混合物などを用いることが好ましい。陰極材料の具体例としては、元素周期律の１族または２族に属する元素、すなわちＬｉやＣｓ等のアルカリ金属、およびＭｇ、Ｃａ、Ｓｒ等のアルカリ土類金属、およびこれらを含む合金（Ｍｇ：Ａｇ、Ａｌ：Ｌｉ）や化合物（ＬｉＦ、ＣｓＦ、ＣａＦ2）の他、希土類金属を含む遷移金属を用いて形成することができる。但し、陽極及び陰極は透光性を有する必要があるため、これら金属、又はこれら金属を含む合金を非常に薄く形成し、ＩＴＯ等の金属（合金を含む）との積層により形成する。これら陽極、及び陰極は蒸着法、スパッタリング法等により形成することができる。
【００７６】
画素構成により、第１の電極及び第２の電極のいずれも陽極、又は陰極となりうる。例えば、駆動用ＴＦＴ３０１の極性をｎチャネル型とし、第１の電極３１１を陰極、第２の電極３１３を陽極とすることができる。
【００７７】
その後、窒素を含むパッシベーション膜３１４をスパッタリング法やＣＶＤ法により形成し、水分や酸素の侵入を防止する。このとき形成される空間には、窒素を封入し、さらに乾燥剤を配置してもよい。さらに第１の電極、第２の電極、その他の電極により、表示手段の側面を覆ってもよい。その後、封止基板３１５を張り合わせる。
【００７８】
さらにきれいな黒表示を行う場合、偏光板又は円偏光板を設けるとよい。但し、撮像装置が対話者を認識できる程度に透光性を有する必要があるため、例えば、両面出射型表示パネルの一方の表示面のみに偏光板、又は円偏光板を設けてもよい。または、両面出射型表示パネルの両表示面側にそれぞれ第１の偏光板、及び第２の偏光板を設けることも可能であるが、このとき、撮像装置が対話者を認識できる程度に透光性を有することと、黒表示を行うことを両立させるため、第１の偏光板と、第２の偏光板とはクロスニコル状態から、光軸（それぞれの吸収軸又は透過軸）を多少ずらすとよい。
【００７９】
このように形成された本発明の両面出射型表示パネルは、第１の電極３１１及び第２の電極３１３が透光性を有している。撮像手段は、両面出射型表示パネルを介した対話者の視線上に配置する。対話者と、撮像手段は、両面出射型表示パネルを介して配置すればよく、両面出射型表示パネルの第１の表示手段（表示面）側、または第２の表示手段（表示面）側のいずれに撮像手段を配置しても良い。その結果、視線を合わせた状態でコミュニケーションをとるこができる。また両面出射型表示パネルの表示を行いながら、撮像手段により撮影することが可能となる。
【００８０】
また図５に示す画素構成では、発光層を介して両方向（第１の表示面及び第２の表示面）に光が射出される。そのため、両面出射型表示パネルの第１の表示面側に撮像手段を配置し、第２の表示面側に対話者を配置しても、第１の表示面側に対話者を配置し、第２の表示面側に撮像手段を配置してもよい。本実施の形態において、第２の表示面側に対話者を配置する場合、表示される映像を反転する回路を備えるとよい。このとき、対話者と、相手との視線が合うように撮像手段を配置すればよく、必ずしも両面出射型表示パネルを介して対話者の視線上に撮像手段を配置する必要はない。例えば、ミラー等の反射体を配置し、対話者と、相手との視線が合うようにすればよい。
【００８１】
また両方向に光が射出するため、色や輝度がずれ、撮像手段が撮影する対話者の細かな表情等が認識できない場合が考えられる。その場合、両面出射型表示パネルに表示される映像情報を引いた情報を撮像手段へ入力するようにすればよい。両面出射型表示パネルの映像情報は、ビデオメモリに保持されているため、撮像手段の入力メモリから両面出射型表示パネルの映像情報を差し引くように補正すればよい。例えば、以下に示す実施の形態７のように補正を行えばよい。
【００８２】
このような両面出射型表示パネルを有する撮像可能な表示装置を用いることにより相手との視線を合わせた状態で対話をすることができる。また、このような撮像可能な表示装置を用いることにより双方向コミュニケーションシステムを提供することができる。
【００８３】
（実施の形態６）
本実施の形態では、実施の形態５と異なる両面出射型表示パネルの構成ついて、図６を用いて説明する。
【００８４】
図６（Ａ）には、一画素、すなわち第２の絶縁膜の開口部において、発光層を設ける第１の領域と、発光層を設けない第２の領域が形成された両面出射型表示パネルの画素構成を示す。
【００８５】
第１の領域に設けられた発光層を含む有機化合物層４０４に接する透光性を有する第１の電極４０３は、絶縁表面４００上に形成されたｐチャネル型の駆動用ＴＦＴ４０１に電気的に接続されている。有機化合物層４０４上には、透光性を有する第２の電極４０５が設けられ、第１の電極４０３と、第２の電極４０５との間に電流が流れ、有機化合物層４０４から矢印の方向（両方向）に光が射出する。
【００８６】
このように、両方向に発光させる場合、実施の形態５で述べたように、第１の電極や第２の電極は、ＩＴＯ等の透光性導電膜、又は金属、又はこれら金属を含む合金であって、透光性を有する程度の薄さとなるように形成した膜を用いることができる。
【００８７】
水分や酸素から有機化合物層を保護するためにパッシベーション膜４０６を設け、空間を窒素で充填したり、乾燥剤を設けるとよい。その後、封止基板４０７により封止を行う。
【００８８】
有機化合物層、駆動用ＴＦＴ、第１の電極４０３、及び第２の電極４０５等は実施の形態５と同様に作製することができる。第１の電極４０３は透光性を有するために、第１の領域及び第２の領域に渡って形成しても構わないが、少なくとも、第１の電極４０３が第１の領域に形成されていればよい。一方、有機化合物層は有色であるため、第１の領域の第１の電極４０３上のみに形成する。例えば、蒸着法により有機化合物層を形成する場合、第１の電極４０３上のみに有機化合物層が蒸着されるようにメタルマスクの開口部のサイズを設定する。
【００８９】
図６（Ａ）に示す画素構成において、第１の領域を発光領域、第２の領域を透過領域とするが、第１の領域を透過領域、第２の領域を発光領域とすることもできる。
【００９０】
また第１の電極の仕事関数を、第２の電極の仕事関数のより小さくすることにより、駆動用ＴＦＴ４０１の極性をｎチャネル型とすることができる。この場合においても、第１の電極や第２の電極は透光性を有する必要がある。
【００９１】
図６（Ｂ）には、図６（Ａ）とは異なり、上方へ光が出射する画素構成を示す。第１の領域に設けられた発光層を有する有機化合物層５０４は、絶縁表面５００上に形成されたｐチャネル型の駆動用ＴＦＴ５０１に接続された第１の電極５０３に接続されている。上方へ光が射出するため、第１の電極５０３は透光性を有する必要はなく、駆動用ＴＦＴのソース配線、又はドレイン配線と共有することができる。第１の電極５０３を駆動用ＴＦＴのソース配線、又はドレイン配線と共有する場合、チタンを含む第１の金属層と、窒化チタンまたは窒化タングステンを含む第２の金属層と、アルミニウムを含む第３の金属層と、窒化チタンを含む第４の金属層とが積層したものを用いるとよい。
【００９２】
第１の電極５０３は非透光性を有するため、第１の領域のみに形成する。発光層を含む有機化合物層５０４は、当該第１の電極５０３上にのみ形成する。その後、透光性を有する第２の電極５０５を形成する。
【００９３】
水分や酸素から有機化合物層を保護するためにパッシベーション膜５０６を設け、空間を窒素で充填したり、乾燥剤を設けるとよい。その後、封止基板５０７により封止を行う。
【００９４】
第１の電極５０３と、第２の電極５０５との間に電流が流れ、有機化合物層５０４から発光する。このとき、金属材料を有する第１の電極５０３は光を反射し、第２の電極５０５は光を透過するため、第２の領域では第２の電極方向に光が出射され、第１の領域では光が出射されず透光性を有する。
【００９５】
第１の電極５０３、有機化合物層５０４、及び第２の電極５０５は、実施の形態５と同様に作製することができる。但し、図６（Ｂ）に示す画素構成では、第２の電極が透光性を有する必要がある。そのため、透光性材料、または金属、若しくはそれらの合金を薄く形成し、その上に透光性材料を積層する構成とする。また第２の電極側へ光が射出するため、第１の電極の透過率は、第２の電極の透過率ほど小さくしなくてもすむ。
【００９６】
図６（Ｂ）に示す画素構成において、第１の領域を発光領域、第２の領域を透光領域として説明したが、第１の領域を透光領域、第２の領域を発光領域とすることもできる。また駆動用ＴＦＴ４０１の極性をｎチャネル型とし、第１の電極の仕事関数を第２の電極の仕事関数のより大きくすることによって、光の射出方向を反転させることができる。この場合、第１の電極は透光性を有するため、第２の領域に形成しても構わない。
【００９７】
図６（Ｂ）の画素構成は、有機化合物層５０４から射出された光が撮像装置に入らず、色ずれや輝度ずれが生じにくい。
【００９８】
図６（Ｃ）には、本実施の形態の画素構成を有する画素部の拡大図を示す。図６（Ａ）、（Ｂ）に示す画素構成は発光領域と、透過領域とが形成される。発光領域と、透過領域とは、赤（Ｒ）、緑（Ｇ）、青（Ｂ）の列毎に揃うように配置しても構わないが、図６（Ｃ）に示すように発光領域と、透過領域を交互に配置すると好ましい。
【００９９】
実施の形態５と比較すると、図６（Ｂ）では第１の領域から光の射出方向が一方のみであり、当該第１の領域を用いて表示を行い、他の領域から光は射出されない。そのため、図６（Ｃ）に示すように発光面積が半減してしまうことが懸念される。そこで発光領域には、光の射出方向と対向する位置に、金属を有する反射膜、又は有色な樹脂を有する膜を設けてもよい。特に、反射膜に凹凸形状を形成し、光を有効利用するとよい。
【０１００】
本実施の形態は、光が射出されず透光性の高い第２の領域を用いて撮像手段により撮影を行うことができる、撮像手段による対話者の認識精度が向上する。
【０１０１】
（実施の形態７）
本実施の形態では、実施の形態１乃至６で説明した撮像手段における映像の補正方法について図７を用いて説明する。
【０１０２】
図７（Ａ）には撮像装置７０１、パネル（例えば、両面出射型パネル）７０５、対話者を示し、パネルの透過率に応じた色合いや輝度の補正：Ａと、パネルの自発光による映り込みを差し引く補正：Ｂを行う。
【０１０３】
図７（Ｂ）には、対話者と相手との双方向対話型システムのフローチャートを示す。以下、対話者と、相手とが同等の双方向対話型装置を有する場合で説明する。
【０１０４】
双方向コミュニケーションは、撮像装置７０１ａ、７０１ｂと、通信回路７０２ａ、７０２ｂと、映像処理回路７０６ａ、７０６ｂと、パネル外部回路７０４ａ、７０４ｂと、パネル７０５ａ、７０５ｂを有し、通信回路７０２ａと７０２ｂとを介して対話者と相手のコミュニケーションが行われる。映像処理回路７０６ａ、７０６ｂは、補正：Ａを行う機能、補正：Ｂを行う機能、を有し、パネル外部回路７０４ａ、７０４ｂにより制御される。
【０１０５】
撮像装置７０１ａ、７０１ｂはそれぞれ、パネル７０５ａ、７０５ｂを介して対話者と相手を撮影する。このとき、パネルの透過率に応じた色ずれや輝度ずれを補正する補正：Ａが行われる。また、対話者及び相手の映像に対してパネル７０５ａ、７０５ｂからの自発光の成分を差し引く補正Ｂが行われる。その結果、補正された対話者の映像と、補正された相手の映像となる。補正Ａと、補正Ｂを行う順序はどちらが先であっても、同時に行ってもよい。また補正Ａと補正Ｂとを同一の補正回路を用いて行ってもよい。補正Ａを行うための回路は、通信回路７０２ａ、７０２ｂとパネル外部回路７０４ａ、７０４ｂとの間、又はパネル外部回路とパネルとの間に設けてもよい。さらに、レンズや焦点に応じた画像処理機能を、補正Ｂを行う機能に加え、パネル７０５ａ、７０５ｂからの自発光の成分に縮小やぼかしなどのフィルタ処理を行ってから差し引くとよい。
【０１０６】
このような補正された映像が、通信回路７０２ａ、７０２ｂを介して送受信される。
【０１０７】
通信回路７０２ａ、７０２ｂから受信された映像は、それぞれパネル外部回路７０４ａ、７０４ｂへ入力され、パネル７０５ａ、７０５ｂで表示が行われる。具体的には、パネル７０５ａ、７０５ｂに設けられた信号線へ補正された映像ａ、映像ｂのビデオ信号が入力される。
【０１０８】
以上のように補正された映像を用いて、高精度な双方向コミュニケーションを行うことができる。
【０１０９】
本実施の形態の映像の補正方法は、実施の形態１乃至６のいずれとも組み合わせることができる。
【０１１０】
（実施の形態８）
上記実施の形態では、自発光型画素を有する表示パネルを用いて説明したが、本発明は透光性を有する表示パネルであればよい。そのため例えば、透光性を有する液晶表示パネルを用いることができる。なお透光性を有する液晶表示パネルとしては、透過型液晶表示パネル、半透過型液晶表示パネルを用いることができる。
【０１１１】
より高い透光性を確保するため、パネルには偏光板等を実装しない、又は開口部を有する偏光板等を実装する。偏光板に設けられた開口部は、画素の一部に形成したり、画素全体にドット状に設けることができる。半透明型液晶パネルにおいては、画素電極の開口部に合わせて、偏光板の開口部を形成してもよい。
そして例えば図３において、両面出射型表示パネル１００としては、開口部を有する偏光板等を実装した透光性を有する液晶表示パネルを用い、撮像面１２１としては偏光板等を実装しない透光性を有する液晶表示パネルを用いることができる。
【０１１２】
またこのような透光性を有する液晶表示パネルと、両面出射型表示パネルとを組み合わせて用いてもよい。例えば図３において、両面出射型表示パネル１００と、撮像面１２１として偏光板等を実装しない透光性を有する液晶表示パネルとを実装した携帯電話機とすることができる。
【図面の簡単な説明】
【０１１３】
【図１】本発明のテレビ電話装置を示す図。
【図２】本発明の携帯電話機を示す図。
【図３】本発明の携帯電話機を示す図。
【図４】本発明の携帯電話機を示す図。
【図５】本発明の両面出射型パネルの断面を示す図。
【図６】本発明の両面出射型パネルの断面を示す図。
【図７】本発明の補正用フローチャートを示す図。
【図１】
2005033784.tif 000003
【図２】
2005033784.tif 000004
【図３】
2005033784.tif 000005
【図４】
2005033784.tif 000006
【図５】
2005033784.tif 000007
【図６】
2005033784.tif 000008
【図７】
2005033784.tif 000009